(57)【要約】【課題】パソコンの周辺装置に係わり、特に外形の変化により機能の切り替えを行うことができるパソコンの周辺装置を提供する。【解決手段】主に第一ケースと、第二ケースと、導電材料からなり、第一ケースと第二ケースを接続するのに用いられ、かつ軸を有し、第二ケースが軸により回転し第一ケースが第一外形或いは第二外形を現すようにさせる接続素子と、第一ケース内に設置され、さらに第一導電接触点と第二導電接触点が設けられており、第一外形の現われに応じて、第一導電接触点と第二導電接触点は接続素子により回路が導通され、且つ、第一機能を行い、また、第二外形の現われに応じて、第一導電接触点と第二導電接触点は接続素子により回路が導通されなくなり、第二機能を行う判断回路とを具備する。【選択図】図５
2007310857.tif 000002
【特許請求の範囲】
【請求項１】
第一ケースと、
第二ケースと、
導電材料からなり、前記第一ケースと前記第二ケースを接続するのに用いられ、かつ軸を有し、前記第二ケースが前記軸により回転し前記第一ケースが第一外形或いは第二外形を現すようにさせる接続素子と、
前記第一ケース内に設置され、第一導電接触点と第二導電接触点が設けられており、前記第一外形の現われに応じて、前記第一導電接触点と第二導電接触点は前記接続素子により回路が導通され、且つ、第一機能を行い、また、前記第二外形の現われに応じて、前記第一導電接触点と第二導電接触点は前記接続素子により回路が導通されなくなり、第二機能を行う判断回路とを具備することを特徴とするパソコンの周辺装置。
【請求項２】
前記接続素子は第一固定板と第二固定板によりそれぞれ前記第一ケースと第二ケースに接続され、前記第二固定板は前記軸により前記第一固定板に相対して回転でき、前記接続素子に含有される前記軸は欠切部を有する回転面を含むことを特徴とする請求項１に記載するパソコンの周辺装置。
【請求項３】
前記第一導電接触点と前記第二導電接触点は第一可撓性金属と第二可撓性金属と前記接続素子により回路が導通されることを特徴とする請求項２に記載するパソコンの周辺装置。
【請求項４】
第一外形の現われに応じて、前記第一導電接触点と前期第二導電接触点が第一可撓性金属と第二可撓性金属によりそれぞれ前記接続素子にある前記第一固定板と前記軸の回転面に接触し、前記第一導電接触点と前期第二導電接触点は前記接続素子により回路が導通されることを特徴とする請求項３に記載するパソコンの周辺装置。
【請求項５】
前記第一外形は突起のある外形で、前記判断回路により実行される前記第一機能がカーソルの制御機能であることを特徴とする請求項４に記載するパソコンの周辺装置。
【請求項６】
前記第一外形は平らの外形で、前記判断回路により実行される前記第二機能がリモコンの機能であることを特徴とする請求項４に記載するパソコンの周辺装置。
【請求項７】
第二外形の現われに応じて、前記第一導電接触点が第一可撓性金属により前記接続素子にある前記第一固定板上に接触し、前記第二導電接触点の第二可撓性金属は前記回転面の欠切部に位置し、前記第一導電接触点と前記第二導電接触点は前記接続素子により回路が導通されないことを特徴とする請求項３に記載するパソコンの周辺装置。
【請求項８】
前記第二外形は突起の外形で、前記判断回路により実行される前記第二機能がカーソルの制御機能であることを特徴とする請求項７に記載するパソコンの周辺装置。
【請求項９】
前記第二外形は平らの外形で、前記判断回路により実行される前記第二機能がリモコンの機能であることを特徴とする請求項７に記載するパソコンの周辺装置。
【請求項１０】
前記周辺装置はカーソルの制御機能であり、前記第一ケースにはカーソル制御信号を発生するための光学センサーが含まれ、前記第二ケースは少なくとも一つの電池を収納するための電池収納室であることを特徴とする請求項１に記載するパソコンの周辺装置。
【発明の詳細な説明】
【技術分野】
【０００１】
本発明はパソコンの周辺装置に係わり、特に外形の変化により機能の切り替えを行うことができるパソコンの周辺装置である。
【背景技術】
【０００２】
今ではカーソル制御装置（つまりマウス装置である）は、コンピューターシステムを使用する上で、なくてはならない入力装置であるので、コンピューターシステムのユーザーがほぼマウス装置によりコンピューターシステムのコマンドの入力及び様々な機能操作を行っている。ユーザーがさらに便利で快適にマウス装置を使用できるように、業者はマウス装置の機能、外観、利便性などに対して、絶え間なく改良を行い、新機軸を出している。例えば、光線の検知によりカーソル移動の位置を示すものは初期のマウス本体の下方に設置されたホイールにより示されるカーソルの移動に取って代わり、またコンピューターシステムと信号を接続させる方式も有線接続から無線接続に改良された。操作ボタンの部分においては、二つのクリックボタンの間にホイールボタンを加えることで、ユーザーがマウス装置によりコンピューターシステムの操作を行うときの利便性を高め、また薄型化の目的を達成するために、現在市場ではタッチ式薄膜アレイセンサがホイールの前後回転機能に取って代わっている。図１にホイール１０を備えるマウス装置１００を示し、図２に薄膜アレイセンサ１１を有するマウス装置１０１を示す。図１と図２から前記薄膜アレイセンサ１１を有するマウス装置１０１の高さが前記ホイール１０を備えるマウス装置１００の体積よりも薄いことがはっきりと分かり、確実に薄型化の目的が達成できた。
【０００３】
軽くて薄いという目的を達成するために、出願人が２００６年３月７日に中華民国特許第９５１０７５１０号で提出した薄型マウスを図３（ａ）（ｂ）に示す。図３（ａ）に示す薄型マウス２００には第一傾斜面２０１１を有する第一ケース２０１と第二傾斜面を有する第二ケース２０２、及び第一ケース２０１の第一傾斜面２０１１と第二ケース２０２の第二傾斜面２０２１を接続するための接続素子２０３が含まれる。接続素子２０３は軸２０３１を備え、第一ケース２０１或いは第二ケース２０２は軸２０３１の相対する回転により回転することができ、詳しい説明は図３（ｂ）に示す。接続素子２０３が第一固定板２０３２と第二固定板２０３３を含み、第一固定板２０３２と第二固定板２０３３はそれぞれ第一傾斜面２０１１と傾斜面２０２１に固定される。軸２０３１は第一固定板２０３２と第二固定板２０３３の間に位置し、第二固定板２０３３を第一固定板２０３２の回転に相対させることができるので、第二ケース２０２が軸２０３１により第一ケース２０１に相対して回転することができる。以下に薄型マウス２００の操作方式についてさらに説明を行う。
【０００４】
図４（ａ）（ｂ）（ｃ）に薄型マウス操作の概略図を示す。図３（ａ）の示すように、薄型マウス２００がテーブル移動に用いられる必要がなくカーソル制御装置とみなされるとき、薄型マウスを回転させて平らな外観を出させることができる。このようにユーザーが収納或いは携帯する際に使用される空間を減少させることができる。ユーザーが前記薄型マウスをカーソル制御装置とする必要がある場合、図４（ｂ）に示すように、第二ケース２０２を１８０度回転させることができる。回転がし終わると、図４（ｃ）に示すように、薄型マウス２００の表面外形に突起が現われ（破線で表示した場所である）、ユーザーは手のひらをこの突起を有する表面に置いて操作コントロールを行える。従って薄型マウス２００の二種類の異なる外形設計による異なる機能を用いることができ、例えば、薄型マウス２００の外形が平らなとき、リモコンとして用い、表面に突起があるときカーソル制御装置として使用することができる。
【０００５】
しかし、上記の発明案で提案されている薄型マウス２００は使用上の欠点が依然として存在する。薄型マウス２００の外形が平らなときリモコンとなり、表面に突起があるときカーソル制御装置となる上記を例にとると、ユーザーが薄型マウス２００をリモコンとしてのみ使用するときでも、カーソル制御装置は正常に機能する。つまりユーザーがカーソル制御機能を用いる必要がない時でも、マウス２００はカーソル制御装置が必要とする電力を供給し続ける。こうなるとマウス２００の電池がすぐに消耗してしまい、ユーザーに不便を感じさせる。
【発明の開示】
【発明が解決しようとする課題】
【０００６】
本発明の目的はパソコンの周辺装置を提供することであり、外形の変化により機能を切り替えることが出来る。
【０００７】
本発明はパソコンの周辺装置であり、主に第一ケースと、第二ケースと、導電材料からなり、第一ケースと第二ケースを接続するのに用いられ、かつ軸を有し、前記第二ケースが前記軸により回転し前記第一ケースが第一外形或いは第二外形を現すようにさせる接続素子と、前記第一ケース内に設置され、さらに第一導電接触点と第二導電接触点が設けられており、第一外形の現われに応じて、前記第一導電接触点と第二導電接触点は前記接続素子により回路が導通され、且つ、第一機能を行い、また、第二外形の現われに応じて、前記第一導電接触点と第二導電接触点は前記接続素子により回路が導通されなくなり、第二機能を行う判断回路とを具備する。
【発明を実施するための最良の形態】
【０００８】
本発明を図面により詳細に説明する。
【実施例】
【０００９】
図５に本発明における従来装置の欠点を改善する為に提案されたパソコンの周辺装置の最適な実施例の概略図を示す。本実施例ではカーソル制御装置５を例にとり以下の説明を行う。図からカーソル制御装置には主に第一ケース５１、第二ケース５２、接続素子５３及び判断回路５４が含まれることがはっきりとわかる。カーソル制御信号を発生させるために、第一ケース５１がカーソル信号を検知する光学センサー６０を含み、第二ケース５２は少なくとも一つの電池を収納するための電池収納室である。接続素子５３は導電材料からなり、第一ケース５１と第二ケース５２を接続するのに用いられる。また接続素子５３は軸５３０を有し、第二ケース５２が軸５３０により第一ケース５１に相対して回転し、第二ケース５２と第一ケース５１にはマウス形状のような突起のある外形（図４（ｃ）に示すような外形）或いは平らの外形（図４（ａ）に示すような外形）が現われる。判断回路５４は第一ケース５１内に設置され、判断回路５４には第一導電接触点５４１と第二導電接触点５４２が設けられており、第一導電接触点５４１と第二導電接触点５４２は第一可撓性金属５４３と第二可撓性金属５４４により前記接続素子５３と接続され回路が導通される。以下に本発明の技術の特徴について詳細に述べる。
【００１０】
本発明のカーソル制御装置５の主な特徴は第二ケース５２が軸５３０により回転し第一ケース５１に突起のある外形が現われたとき、判断回路５４は突起のある外形の現われに応じて、第一導電接触点５４１と第二導電接触点５４２は接続素子５３により回路が導通されるので、判断回路５４はカーソル移動を制御するカーソル制御機能を実行することができる。第二ケース５２が軸５３０により回転し第一ケース５１に平らの外形が現われたとき、判断回路５４は平らの外形の現われに応じて、第一導電接触点５４１と第二導電接触点５４２は接続素子５３により回路が導通されるので、判断回路５４はリモコン機能を実行することができる。こうして本発明で述べられているカーソル制御装置５はユーザーの異なる使用状態に応じて異なる外形に変化するとき、同時にユーザーにより変換される外形に基づいて機能の変換が行え、ある機能を実行している際、もう一つの機能は実行されないので、従来技術で述べられていた電力浪費の問題は起こらない。
【００１１】
図６に本発明におけるカーソル制御装置５に含まれる接続素子５３の概略図を示す。図から接続素子５３は上記で触れられている軸５３０を有する以外に、さらに第一固定板５３１と第二固定板５３２を含むことがはっきりとわかる。接続素子５３が第一固定板５３１と第二固定板５３２によりそれぞれ図５に示されている第一ケース５１と第二ケース５２に接続され、第二ケース５２は第一ケース５１に相対して回転することができ、つまり第二ケース５２に接続されている第二固定板５３２が軸５３０により第一ケース５１に接続されている第一固定板５３１に相対して回転することができる。また、軸５３０には欠切部５３０１を有する回転面５３０２が含まれ、第二ケース５２が軸５３０により第一ケース５１に相対して回転し外形が変換されるとき、回転面５３０２上の欠切部５３０１も連動し、判断回路５４の第一導電接触点５４１と第二導電接触点５４２の回路が導通している状態かどうかについて判断を行う。以下に第一導電接触点５４１と第二導電接触点５４２の回路が導通している状態かどうかについて詳細に述べる。
【００１２】
図７（ａ）（ｂ）に第一導電接触点５４１と第二導電接触点５４２が接続素子５３により回路が導通される場合の概略図を示す。図７（ａ）に示すように、判断回路５４上に設置された第一導電接触点５４１と第二導電接触点５４２は第一可撓性金属５４３と第ニ可撓性金属５４４が接続素子５３により回路が導通されるために、もしもカーソル制御装置５により現われる外形が突起のある外形であれば、第一導電接触点５４１と第二導電接触点５４２が第一可撓性金属５４３と第ニ可撓性金属５４４によりそれぞれ接続素子５３の第一固定板５３１と軸５３０の回転面５３０２上に接触し、第一導電接触点５４１と第二導電接触点５４２は接続素子５３により回路が導通される。このとき判断回路５４は第一導電接触点５４１と第二導電接触点５４２応じて回路が導通しカーソル制御機能を行うことができる。また、図７（ｂ）に示すように、もしもカーソル制御装置５により現われる外形が平らの外形であれば、第一導電接触点５４１が第一可撓性金属５４３により接続素子５３にある第一固定板５３１上に接触し、第二導電接触点５４２の第二可撓性金属５４４は接続素子５３の回転面５３０２上にある欠切部５３０１に位置し、第一導電接触点５４１と第二導電接触点５４３は接続素子５３により回路が導通されない。このとき判断回路５４は第一導電接触点５４１と第二導電接触点５４２応じて、非導通の状況下で前記カーソル信号を検知する光学センサーの電源をオフにし、省エネの目的を達成するためにマウス装置に前記リモコン機能だけを行わせる。
【００１３】
特に説明すべきことは、マウス５の外形が突起のある外形のとき第一導電接触点と第二導電接触点に回路を導通させカーソル制御機能を行わせ、マウス５が平らな外形のとき第二導電接触点を非導通にしセンサー電源をオフにしリモコン機能だけを行わせることを実施例とすることである。しかし、本発明は以上の実施例の制限を受けるものではなく、言い換えれば、本発明はマウス装置５が平らな外形のとき、リモコン機能だけを行わせるために、第一導電接触点と第二導電接触点を導通状態にし光学センサー６０の電源をオフにする。
【００１４】
以上の技術説明をまとめれば、本発明で述べられている前記カーソル制御装置の最も重要な特徴は、前記カーソル装置に含まれる前記第二ケースが前記軸により回転し前記第一ケースに前記突起のある外形或いは前記平らな外形が現われたとき、前記判断回路が前記カーソル制御装置の異なる外形に応じて異なる機能が行われるということである。上述のように前記カーソル制御装置が前記突起のある外形のとき（マウスの外形と同じようなとき）、前記判断回路は前記カーソル制御機能を行え、前期カーソル制御装置が前記平らな外形のとき（リモコンの外形と同じようなとき）、前記判断回路はカーソルの光センサーがオフになることによりリモコン機能のみを行い、これにより光学センサーの無駄な電力消費を防ぐことができる。本発明で述べられている前記カーソル制御装置は上記の特徴を完全に達成することができた。それは主に前記軸の回転面上に欠切部を設け、前記判断回路に設置されている前記第一導電接触点と第二導電接触点の回路が導通状態にあるかないかの判断をする根拠にし、前記判断回路が異なる外形下で異なる機能を行えるようにしたからである。このように、本発明における前記カーソル制御装置は従来装置状の欠点を確実に改善し、本発明の最も重要な目的を達成することができた。
【００１５】
本発明は、この領域を熟知している技術者により手を加え、変更することができるが、すべて上記の特許請求の範囲内に含まれる。  
【図面の簡単な説明】
【００１６】
【図１】ホイールボタンを有するマウス装置の外観に係わる概略図。
【図２】薄型アレイスイッチを有するマウス装置の外観に係わる概略図。
【図３】（ａ）は薄型マウスの構造に係わる概略図。（ｂ）は前記薄型マウスに含まれる接続素子の構造に係わる概略図。
【図４】（ａ）（ｂ）（ｃ）は前記薄型マウスの回転操作に係わる概略図。
【図５】本発明における従来装置の欠点を改善する為に提案されたパソコンの周辺装置の最適な実施例に係わる概略図。
【図６】本発明におけるカーソル制御装置に含まれる接続素子に係わる概略図。
【図７】（ａ）（ｂ）は第一導電接触点と第二導電接触点が前記接続素子により回路が導通される場合の概略図。
【符号の説明】
【００１７】
１０  ホイール
１００    マウス装置
１１    薄膜アレイセンサ
１０１  マウス装置
２００  薄型マウス
２０１  第一ケース
２０２  第二ケース
２０３  接続素子
２０１１  第一傾斜面
２０２１  第二傾斜面
２０３１  軸
２０３２  第一固定板
２０３３  第二固定板
５    カーソル制御装置
５１  第一ケース
５２  第二ケース
５３  接続素子
５４  判断回路
５３０  軸
５３０１  欠切部
５３０２  回転面
５４１  第一導電接触点
５４２  第二導電接触点
５４３  第一可撓性金属
５４４  第二可撓性金属
６０    光学センサー
【図１】
2007310857.tif 000003
【図２】
2007310857.tif 000004
【図３】
2007310857.tif 000005
【図４】
2007310857.tif 000006
【図５】
2007310857.tif 000007
【図６】
2007310857.tif 000008
【図７】
2007310857.tif 000009